(57)【要約】【課題】  本発明は、食卓において皿を簡単に展開して使用することができるとともに、食卓上において皿をコンパクトに収納することができ、しかも皿の使用時および収納時のいずれにおいても食卓上における外観上の美観性を向上することが可能な皿支持具および皿支持具セットの提供を課題とする。【解決手段】  本発明に係る皿支持具Ａは、皿３の一方の端部が嵌め込まれる支持孔１１が周方向に沿って複数設けられた基台部１と、基台部１の中心部から上方に延びる態様で立設するとともに、皿３の一方の端部の縁を引掛けるための引掛片２１が周方向に沿って複数設けられた柱部２とを備えてなる。【選択図】      図１
2007082596.tif 000002
【特許請求の範囲】
【請求項１】
複数の皿を支持する皿支持具であって、
皿の一方の端部が嵌め込まれる支持孔が複数設けられた基台部と、
該基台部の中心部から上方に延びる態様で立設するとともに、皿の端部の縁を引掛けるための引掛片が周方向に沿って複数設けられた柱部とを備えてなることを特徴とする皿支持具。
【請求項２】
前記基台部の各支持孔は、前記柱部からの距離が交互に異なるように前記基台部の周方向に沿って配置されている請求項１に記載の皿支持具。
【請求項３】
前記基台部は、径方向に延びる支承補助部が周縁部に沿って複数設けられている請求項１または請求項２に記載の皿支持具。
【請求項４】
前記柱部は、その頭部が球状に形成され、かつ胴体部が円柱状に形成されている請求項１ないし請求項３のいずれかに記載の皿支持具。
【請求項５】
皿の一方の端部が嵌め込まれる支持孔が複数設けられた基台部と、該基台部の中心部から上方に延びる態様で立設するとともに、皿の端部の縁を引掛けるための引掛片が周方向に沿って複数設けられた柱部とを備えてなる皿支持具において、複数の皿が支持されていることを特徴とする皿支持具セット。
【請求項６】
前記皿は、一方の端部が鋭角状に形成されるとともに、他方の端部が円形状に形成されている請求項６に記載の皿支持具セット。
【発明の詳細な説明】
【技術分野】
【０００１】
本発明は、複数の皿を支持する皿支持具およびその皿支持具セットに関する。
【背景技術】
【０００２】
近年、食生活の向上に伴って、各種料理に応じた様々な形状、大きさ、あるいは色彩の皿があり、食卓上を華やかにしている。特に総菜や漬物などは種類が多く、それぞれ小型の皿に盛り付けられることが多い。また、パーティー等において複数の客にケーキを供したりする機会も多い。
【０００３】
従来、これらの皿を収納するものとしては、通常、水切りカゴや食器棚しか存在せず（特許文献１、２参照）、収納時においては水切りカゴや食器棚に皿を納め、使用時においては水切りカゴや食器棚から皿を取り出し、総菜や漬物などの料理を盛り付けたあと、別々に食卓上に並べるものであった。
【特許文献１】特開２００２−２１９０６１号
【特許文献２】特開２００３−２３８０号
【発明の開示】
【発明が解決しようとする課題】
【０００４】
しかしながら、上述のような水切りカゴや食器棚だと、それらから皿を取り出さなければならず、特に数の多い小型の皿にあっては面倒であるという問題があった。また、各皿は食卓上でばらばらに載置されるため外観上の美観性が高くないという問題があった。さらに、小皿をすぐに使用できるように食卓状に重ねて載置しておくことも考えられるが、それでは食卓における外観上の美観性を損なうという問題があった。
【０００５】
本発明は、上述の問題に鑑みてなされたものであって、食卓において皿を簡単に展開して使用することができるとともに、食卓上において皿をコンパクトに収納することができ、しかも皿の使用時および収納時のいずれにおいても食卓上における外観上の美観性を向上することが可能な皿支持具および皿支持具セットの提供を課題とする。
【課題を解決するための手段】
【０００６】
本発明は、上記課題を解決するために、複数の皿を支持する皿支持具であって、皿の一方の端部が嵌め込まれる支持孔が複数設けられた基台部と、該基台部の中心部から上方に延びる態様で立設するとともに、皿の端部の縁を引掛けるための引掛片が周方向に沿って複数設けられた柱部とを備えてなることを特徴とする。
【０００７】
これによれば、皿の使用時においては、柱部の引掛片に各皿の端部の縁を引掛けて基台部上に載置するだけで、食卓上において皿を簡単に展開して使用することができ、しかも必要な皿だけ支持具から簡単に取り外して個別に使用することもできる。また、皿の収納時においては、皿の一方の端部を基台部の支持孔に嵌め込むだけで、食卓上において皿をコンパクトに収納することができる。さらに、皿の使用時においては花が咲いたような全体形態となるとともに、皿の収納時においては花のつぼみのような全体形態となるため、食卓上における外観上の美観性を向上することが可能となる。
【０００８】
また、前記基台部の各支持孔は、前記柱部からの距離（半径）が交互に異なるように前記基台部の周方向に沿って配置されているのが好ましい。これによれば、皿の収納時において、各皿が交互に周方向に立設するので、より多くの皿をコンパクトに収納することができる。しかも、実際の花のつぼみの状態により近くなり、食卓上における外観上の美観性をより一層向上することが可能となる。
【０００９】
また、前記基台部は、径方向に延びる支承補助部が周縁部に沿って複数設けられているのが好ましい。なお、支承補助部の個数は、通常、皿の枚数に相当する。これによれば、皿の使用時において、皿の支承を補助し得るので、各皿を安定良く展開することができる。
【００１０】
また、前記柱部は、その頭部が球状に形成され、かつ胴体部が円柱状に形成されているので好ましい。これによれば、皿（３）の使用時において、柱部が花柱で、かつ各皿が花びらに見え、より現実的な花の全体形態となるので、外観上の美感性をより一層向上することができる。
【００１１】
また、本発明に係る皿支持具セットは、皿の一方の端部が嵌め込まれる支持孔が複数設けられた基台部と、該基台部の中心部から上方に延びる態様で立設するとともに、皿の端部の縁を引掛けるための引掛片が周方向に沿って複数設けられた柱部とを備えてなる皿支持具において、複数の皿が支持されていることを特徴とする。
【００１２】
また、一方の端部が鋭角状に形成されるとともに、他方の端部が円形状に形成されているのが好ましい。これによれば、皿が一枚の花びらのような形態となる。このため、皿の使用時においては、皿の一方端部が互いに密着しながら放射状に並び、複数の皿を効率よく展開することができる。また、皿の収容時においては、皿の一方端部を支持孔に嵌め込みやすくなり、複数の皿をより安定良く立設させることができる。
【発明の効果】
【００１３】
本発明によれば、皿の使用時においては、柱部の引掛片に各皿の端部の縁を引掛けて基台部上に載置するだけで、食卓上において皿を簡単に展開して使用することができ、しかも必要な皿だけ支持具から簡単に取り外して個別に使用することもできる。また、皿の収納時においては、皿の一方の端部を基台部の支持孔に嵌め込むだけで、食卓上において皿をコンパクトに収納することができる。さらに、皿の使用時においては花が咲いたような全体形態となるとともに、皿の収納時においては花のつぼみのような全体形態となるため、食卓上における外観上の美観性を向上することが可能となる。
【発明を実施するための最良の形態】
【００１４】
次に本発明の一実施形態について説明する。
【００１５】
図１は、本実施形態に係る皿支持具（Ａ）の斜視図、図２は皿支持具（Ａ）の平面図、図３は皿支持具（Ａ）の側方断面図（図２のI−I線断面図）である。
【００１６】
この皿支持具（Ａ）は、食卓上に載置される略円盤状の基台部（１）と、該基台部（１）の中心部から上方に延びる態様で立設する柱部（２）とを備えてなる。
【００１７】
前記基台部（１）は、収納時において皿（３）の一方端部（皿（３）の鋭角状部分）を嵌め込むためのの支持孔（１１）が６個設けられるとともに、使用時において皿（３）の底面の支承を補助するための支承補助部（１２）が６個設けられている。
【００１８】
前記支持孔（１１）は、本実施形態の皿（３）の一方端部の形状（鋭角形状）に合うように平面視略半円状となされており、その内側の直線部分が深さ方向に鉛直に形成され、外側の円弧部分が深さ方向に内側に向けて緩やかに傾斜するように形成されている。これにより皿（３）の一方端部を支持孔（１１）に差し込むと、皿（３）はその内側を柱部（２）に向けながら安定良く立設する。
【００１９】
また、前記支持孔（１１）は、柱部（２）からの距離が交互に異なるように周方向に配置されている。各皿（３）を支持孔（１１）に差し込むと、各皿（３）が交互に周方向に立設する。具体的には、図５および図６に示すように、内側の支持孔（１１）に差し込まれた３枚の皿（３）は、柱部（２）を取り囲むように周方向に等間隔に配置され、また外側の支持孔（１１）に差し込まれた３枚の皿（３）は、内側に配置された３枚の皿（３）をさらに取り囲むように周方向に等間隔に配置される。このため、皿（３）の収納時においては、より多くの皿（３）をコンパクトに収納することができる。しかも、実際の花のつぼみの状態により近くなり、食卓上における外観上の美観性をより一層向上することが可能となる。
【００２０】
前記支承補助部（１２）は、基台部（１）の径方向に延びる三角形状に形成されており、基台部（１）の周縁部に沿って等間隔に設けられている。これにより各皿（３）を基台部（１）上に載置した際に各皿（３）の底面の支承を補助するので、各皿（３）を安定良く展開することができる。なお、本実施形態では、支承補助部（１２）を三角形状に形成するものとしたが、これに限定されるものではなく、その他の形状であってもよい。
【００２１】
前記柱部（２）は、頭部（２ａ）が球状に形成されるとともに、胴体部（２ｂ）が円柱状に形成されている。これにより、皿（３）の使用時において、柱部（２）が花柱で、かつ各皿（３）が花びらに見え、より現実的な花の全体形態となるので、外観上の美感性をより一層向上することができる。しかも、皿支持具（Ａ）を持ち運ぶに際して、柱部（２）の頭部（２ａ）がグリップの役割を果たすこともできる。
【００２２】
また、前記柱部（２）は、使用時において皿（３）の一方端部の縁を引掛けるための引掛片（２１）が周方向に沿って６個設けられている。この引掛片（２１）は、図３に示すように、前記基台部（１）から所定距離を隔てた位置に設けられ、略Ｌ字形状に形成されている。これにより皿（３）の使用時においては、柱部（２）の引掛片（２１）に各皿（３）の一方端部の縁を引掛けて基台部（１）上に載置するだけで、食卓上において皿（３）を簡単に展開して使用することができる。
【００２３】
前記皿（３）は、図４に示すように、一方端部が鋭角状に形成されるとともに、他方の端部が円形状に形成され、全体が一枚の花びらのような形態となされている。これによれば、皿（３）が一枚の花びらのような形態となる。このため、皿（３）の使用時においては、皿（３）の一方端部が互いに密着しながら放射状に並び、６枚の皿（３）を効率よく展開することができる。また、皿（３）の収容時においては、皿（３）の一方端部を支持孔（１１）に嵌め込みやすくなり、６枚の皿（３）をより安定良く立設させることができる
【００２４】
而して、皿（３）の使用に際しては、柱部（２）の引掛片（２１）に各皿（３）の一方端部（皿（３）の鋭角状部分）の縁を引掛けて基台部（１）（支承補助部（１２）含む）上に載置するだけで、食卓上において皿（３）を簡単に展開して使用することができる。このとき、皿支持具（Ａ）および皿（３）（皿支持具セット）の全体形態は花が咲いたような形態となり、食卓上における外観上の美観性を向上することが可能となる。しかも、必要な皿（３）だけ支持具から簡単に取り外して個別に使用することもできる。
【００２５】
また、皿（３）の収納時に際しては、各皿（３）の一方端部を基台部（１）の支持孔（１１）に嵌め込むと、各皿（３）はその内側を柱部（２）に向けながら安定良く立設し、食卓上において皿（３）をコンパクトに収納することができる。このとき皿支持具（Ａ）および皿（３）（皿支持具セット）は全体形態が花のつぼみのような形態となり、食卓上における外観上の意匠性を向上することが可能となる。
【００２６】
なお、本実施形態では、前記基台部（１）を円盤状に形成するものとしたが、その他の形状に形成してもよい。また、６個の支持孔を設けて６枚の皿を立設するものとしたが、その他の個数の支持孔としてもよい。
【００２７】
また、前記柱部（２）は花柱のような形態としたが、その他の形態としてもよい。また、引掛片（２１）を６個設けて６枚の皿を展開するものとしたが、その他の個数の引掛片（２１）としてもよい。また、引掛片（２１）は皿（３）の端部の縁を引掛けることができるものであれば、その他の形状に形成してもよい。
【００２８】
また、前記皿（３）は上述の形状に限定されるものではなく、その他の形状であってもよい。この場合、基台部（２）の支持孔（１１）は皿の一方端部の形状に合った形状に形成するのがよい。
【図面の簡単な説明】
【００２９】
【図１】本発明の一実施形態に係る皿支持具の斜視図である。
【図２】図１の皿支持具の平面図である。
【図３】図１の皿支持具の側方断面図である。
【図４】皿支持具に皿を展開した状態を示す斜視図である。
【図５】皿支持具に皿を収納した状態を示す斜視図である。
【図６】皿支持具に皿を収納した状態を示す平面図である。
【符号の説明】
【００３０】
１・・・基台部
２・・・柱部
３・・・皿
１１・・・支持孔
１２・・・支承補助部
２１・・・引掛片
【図１】
2007082596.tif 000003
【図２】
2007082596.tif 000004
【図３】
2007082596.tif 000005
【図４】
2007082596.tif 000006
【図５】
2007082596.tif 000007
【図６】
2007082596.tif 000008
【手続補正書】
【提出日】平成17年12月1日(2005.12.1)
【手続補正１】
【補正対象書類名】特許請求の範囲
【補正対象項目名】請求項６
【補正方法】変更
【補正の内容】
【請求項６】
前記皿は、一方の端部が鋭角状に形成されるとともに、他方の端部が円形状に形成されている請求項５に記載の皿支持具セット。